(57)【特許請求の範囲】
【請求項１】
筐体と、
前記筐体に脱着可能に設けられ、前記筐体表面の少なくとも一面と連続する面が形成されている蓋体とを有し、
前記筐体内部には、前記蓋体を前記筐体に装着するときに、前記蓋体の内壁面と当接してその装着方向を案内する案内部を形成し、
前記筐体及び前記蓋体との当接する領域における前記筐体には係合部を、前記蓋体には前記係合部と係合する被係合部を設けて規制部を形成し、前記蓋体を前記筐体に装着したときに、前記蓋体に形成された面とそれに対応する前記筐体表面とが連続面となるように、前記蓋体に形成された面を規制する
時計装置。
【発明の詳細な説明】
【０００１】
【発明の属する技術分野】
本発明は、例えば電池交換やメンテナンス時に脱着される蓋体を有する時計装置に関する。
【０００２】
【従来の技術】
例えば目覚まし時計や置き時計などの文字盤の背面側には、電池交換を行ったり、指針位置修正を行ったり、あるいは時計本体内部のメンテナンスを実施するために、時計本体に対して脱着可能な蓋体が取り付けられている。このような蓋体を時計本体から取り外すことによって、上述した作業が実施できる。
【０００３】
この種の時計としては、時計本体の背面部をある程度の深さをもってくぼませ、そのくぼ地に蓋体を脱着可能に設けたものや、時計本体の表面部と連続する面部を形成させたものを蓋体として設けたものなどがある。
前者の場合、蓋体が時計本体に対して、デザイン上あるいは装飾性上の問題を与えることはほとんど考えられないが、後者の場合では、蓋体表面部が時計本体の表面の一部を構成することから、蓋体にも例えば時計本体のコンパクトさや一体感を表現するための装飾性が要求されることになる。
【０００４】
【発明が解決しようとする課題】
既に述べた蓋体表面部が時計本体表面の一部を構成する時計装置においては、例えば上述したコンパクトさや一体感を表現するために、蓋体に形成された複数の面をそれぞれ時計本体の面部に対して連続的にみせる必要がある。
【０００５】
しかしながら、蓋体が時計本体に対して、いずれかの方向に片寄った状態で取り付けられた場合、筐体と蓋体との分割位置にて出っ張り部や突出部分が発生し、上述した連続的な面が表現され得ないという問題があった。また、時計本体あるいは蓋体の製造上の寸法ばらつきによっても、上述した出っ張り部や突出部分が発生することから、結局、上述した構成を有する時計装置は、作製が難しく、また、デザイン上の必要条件を十分に満足できないというのが現状であった。
【０００６】
本発明は、かかる事情に鑑みてなされたものであり、その目的は、簡単な構造でありながら、コンパクトで一体感のある優れた装飾的効果を備えた時計装置を提供することにある。
【０００７】
【課題を解決するための手段】
上記目的を達成するために、本発明の時計装置は、筐体と、前記筐体に脱着可能に設けられ、前記筐体表面の少なくとも一面と連続する面が形成されている蓋体とを有し、前記筐体内部には、前記蓋体を前記筐体に装着するときに、前記蓋体の内壁面と当接してその装着方向を案内する案内部を形成し、前記筐体及び前記蓋体との当接する領域における前記筐体には係合部を、前記蓋体には前記係合部と係合する被係合部を設けて規制部を形成し、前記蓋体を前記筐体に装着したときに、前記蓋体に形成された面とそれに対応する前記筐体表面とが連続面となるように、前記蓋体に形成された面を規制する。
【００１０】
【発明の実施の形態】
本発明の時計装置を目覚まし時計に適用した場合の一実施の形態について図面に基づいて説明する。
図１は、本発明に係る目覚まし時計の正面図、図２は、図１に示す目覚まし時計の背面図、図３は、図１に示す目覚まし時計の側面図である。
【００１１】
目覚まし時計１は、図１〜図３に示すように、筐体１０の内部に設けられた時計部２０と、図示しない発音部と、筐体１０の裏面側に脱着可能に設けられた蓋体３０とで構成されている。
筐体１０には、図１〜図３に示すように、図示しない発音部によって図示しない発音体が打鈴されたとき、あるいは図示しない電子発音部が作動状態となったときに、その音を所定の時間だけ停止したい場合に使用されるスヌーズスイッチ５０と、設定時刻になったときにオン状態であれば発音される鳴り止めボタン６０とが設けられている。
【００１２】
筐体１０は、時計部２０が装着された第１の枠体１１と、第１の枠体１１の開口部と隙間無く密着する第２の枠体１２とで構成され、第２の枠体１２は第１の枠体１１に対して図示しない箇所でビス止めされ、固定されている。
第１の枠体１１と第２の枠体１２とが固定状態にある場合、図３に示す第１の枠体１１と第２の枠体１２との分割線Ｌは正確に当接しており、一体感を演出する構成となっている。
【００１３】
第１の枠体１１は、ユーザーが表示時刻を容易に正しく認識できるように、時計部２０の文字盤２１を所定の角度に傾斜させて保持する構成となっている。
第１の枠体１１の文字盤２１に対向する領域には、所定の半径を有する略球形状をした透明アクリル板１１ａが装着されている。
【００１４】
時計部２０は、図１に示すように、第１の枠体１１の正面側の中央部近傍に配置され、現在時刻を表示する文字盤２１と、文字盤２１の裏面側に固定され、所定の基準パルス信号に基づいて図示しないステッピングモータを作動させ、回転軸２２を中心として指針２３を駆動する図示しないムーブメントとで構成されている。
【００１５】
本目覚まし時計１は、図１に示すように、指針２３と同様に回転軸２２を中心として回転可能な目安針２４を有する。
目安針２４は、図２に示すように、図示しないムーブメントの裏面側に軸支された目安針修正つまみ２５を回転させることによって回転軸２２周りを回転でき、文字盤２１に記載された指針２３用の時分目盛り２１１を用いて所望の時刻に設定できる。
【００１６】
すなわち、目安針２４を目盛り２１１の所望の位置に設定しておけば、指針２３が目安針２４の指示する時刻に達したときに図示しない制御回路から目安信号が発せられる。図示しない発音部がこの目安信号を受けて作動し、それにより周囲の人々に当初の設定時刻が報時される。
なお、発音部から発せられる音は、図２に示す後述する蓋体３０に形成された音穴３０ｉから発音される。
【００１７】
図４（ａ）は、図１に示す目覚まし時計の第２の枠体の背面図、図４（ｂ）は、図４（ａ）のＡ−Ａに沿う断面図、図５は、第２の枠体および蓋体の断面図を用いてそれぞれの係止関係を説明するための図、図６は、図１に示す目覚まし時計の第２の枠体に形成されたガイド体を説明するための要部斜視図、図７（ａ）は、図１に示す目覚まし時計の蓋体の正面図、図７（ｂ）は、図７（ａ）の蓋体の下面図、図８は、第２の枠体に形成された突起部と蓋体に形成された溝部との係合関係を説明するための要部斜視図である。
【００１８】
第２の枠体１２は、図４（ａ），（ｂ）に示すように、略四角形状をしており、また第２の枠体１２には、２本のキャラクタライン１２ａを境界線として図４（ａ）中両外側には所定の曲率をもった曲面１２ｂが筐体１０内部へくぼんだ状態で形成され、図４（ａ）中下側には図５に示すように、目覚まし時計１を床面においた場合に床面と当接する平面１２ｃが形成され、図４（ａ）中上側には図５に示すように所定の曲率をもった曲面１２ｄが筐体１０外側へ突出した状態で形成されている。
【００１９】
また第２の枠体１２には、蓋体３０に形成された後述する爪部と係合可能な係合穴１２ｅと、蓋体３０に形成された後述する被係止部と係止可能で、蓋体３０を第２の枠体１２に係止させる係止穴１２ｆが形成されている。また、図４および図５に示す溝部１２ｇは、目覚まし時計１の電池を装着するために形成されている。
【００２０】
さらに第２の枠体１２には、図４（ａ），（ｂ）に示すように、蓋体３０が第２の枠体１２に係止状態にあるとき、第２の枠体１２と蓋体３０とが当接する領域に、蓋体３０に形成された後述する面と各曲面１２ｂ，１２ｄがそれぞれ一連の連続面を形成するように、蓋体３０に形成された後述する面を規制する規制部としての溝部１２ｈが、第２の枠体１２と蓋体３０との分割線のうち、曲面１２ｂにおける分割線近傍の位置に所定の深さをもって形成されている。
また、電池装着用に形成された溝部１２ｇの側壁の外部には、蓋体３０を第２の枠体１２に装着するときに、蓋体３０の内壁面と当接してその装着方向を案内する案内部１２ｉが形成されている。
【００２１】
蓋体３０には、図７（ａ），（ｂ）に示すように、蓋体３０が第２の枠体１２に装着されたときに、第２の枠体１２に形成されたキャラクタライン１２ａと共に連続したキャラクタラインを形成させるキャラクタライン３０ａと、第２の枠体１２に形成された曲面１２ｂと連続した曲面を形成可能な曲面３０ｂと、第２の枠体１２に形成された曲面１２ｄと連続した曲面を形成可能な曲面３０ｄが形成されている。
【００２２】
また蓋体３０には、既に述べた係合穴１２ｅと係合可能で、図７（ａ）からわかるように、蓋体３０の外周部に突出した状態で形成された爪部３０ｅと、同様に既に述べた係止穴１２ｆによって係止される被係止部３０ｆが形成されており、これにより、蓋体３０が第２の枠体１２に係止されることになる。
【００２３】
さらに蓋体３０には、図７（ａ），（ｂ）に示すように、蓋体３０が第２の枠体１２に係止状態にあるときに、蓋体３０に形成された曲面３０ｂおよび曲面３０ｄと、曲面１２ｂおよび曲面１２ｄとが一連の連続面を形成するように、曲面３０ｂを規制する規制部としての突起部３０ｈが、蓋体３０の内壁面の溝部１２ｈに係合可能な位置に形成されている。
【００２４】
図示しない発音部は、駆動モータ、駆動モータに軸支された打鈴体、および、筐体１０内部の第２の枠体１２に形成された音穴３０ｉ近傍に設けられた発音体とで構成され、表示時刻と図１に示す目安針２４によって設定された時刻とが一致したときに、駆動モータが駆動され、発音体を実打ちして所定の音色を発生させるようになっている。
【００２５】
次に、本実施の形態の目覚まし時計１の動作について説明する。
時計部２０の表示時刻が目安針２４によって設定された時刻と合致したとき、鳴り止めボタン６０がオン状態であれば、図示しない発音部の駆動モータが、図示しない制御回路からの目安信号を受けて回転駆動される。駆動モータが回転駆動されると、駆動モータの回転軸に軸支された打鈴体が回転して発音体に衝突する。
【００２６】
上述した打鈴体の発音体への衝突によって、発音体固有の音色が発音されることになる。この音色は、第２の枠体１２に形成された音穴３０ｉを通して筐体１０の外部に伝達され、ユーザー等外部の人々に設定時刻を知らせる。
なお、所定の時間だけ発音体からの音を停止させたい場合には、スヌーズスイッチ５０を押圧しておく。これにより、音は一旦停止され、所定時間経過後に再び発音されることになる。一方、発音を完全に停止させたい場合には、鳴り止めボタン６０をオフ状態にすればよい。
【００２７】
次に、電池交換作業を例にして、蓋体３０の第２の枠体１２からの脱着動作について説明する。
表示時刻が実際の時刻より大幅に遅れたり、また、指針２３と目安針２４による設定時刻とが合致しても発音されなかったりする場合、電池の消耗が考えられ、電池交換が必要となる。
【００２８】
交換作業者は、指を蓋体３０の曲面３０ｂに掛けて挟持し、図５に示す矢印丸１方向に引っ張る。このとき、指の引っ掛かりを良くするため、曲面３０ｂにシボを付けて曲面３０ｂの面荒さを荒くするか、若しくはキャラクタライン１２ａ方向に向かって曲面３０ｂの曲率を次第に大きく設定するとよい。
これにより、被係止部３０ｆと図４に示す係止穴１２ｆとの係止状態が解除され、さらに爪部３０ｅと係合穴１２ｅとの係合状態が解除されて、蓋体３０が第２の枠体１２から取り外される。
【００２９】
溝部１２ｇに装着された図示しない電池を取り外し、新しい電池を溝部１２ｇに装着した後、作業者は、蓋体３０の取り外し作業時と同様に、曲面３０ｂに指を掛けて蓋体３０を挟持し、図５に示す矢印▲２▼方向に移動させる。
蓋体３０に形成された爪部３０ｅを第２の枠体１２に形成された係合穴１２ｅに差し込んで、蓋体３０を第２の枠体１２に対して係合状態とし、さらに蓋体３０を爪部３０ｅおよび係合穴１２ｅとの係合部近傍を中心として図５に示す矢印▲３▼方向に回転させ、図４に示す係止穴１２ｆに図５に示す被係止部３０ｆを挿入して第２の枠体１２に蓋体３０を係止させる。
【００３０】
蓋体３０の第２の枠体１２への装着動作時において、図８に示す蓋体３０に形成された突起部３０ｈは、同じく図８に示す第２の枠体１２に形成された溝部１２ｈに案内されながら次第に係合関係を深め、蓋体３０に形成された被係止部３０ｆが第２の枠体１２に形成された係止穴１２ｆに対して係止状態となったときに、突起部３０ｈと溝部１２ｈとは完全な係合状態となる。
なお、蓋体３０の第２の枠体１２への装着動作中、つまり図５に示す矢印▲３▼への動作中において、図６に示す案内部１２ｉは、その外周部を蓋体３０の内壁面と当接させながら、蓋体３０を所定の位置へ位置決めする。
【００３１】
突起部３０ｈと溝部１２ｈとが係合状態になると、蓋体３０に形成された曲面３０ｂ，３０ｄの形状が正規の位置に規制され、曲面３０ｂは曲面１２ｂと連続した面となり、曲面３０ｄは曲面１２ｄと連続した面となる。
またキャラクタライン３０ａについても、キャラクタライン１２ａと連続した状態となり、図２に示すように筐体１０の上下方向にキャラクタラインが形成されることになる。
【００３２】
本実施の形態では、規制部としての第２の枠体１２に溝部１２ｈを形成させ、蓋体３０に突起部３０ｈを形成させたが、溝部１２ｈを蓋体３０に形成させ、突起部３０ｈを第２の枠体に形成させてもよい。
なお規制部については、蓋体３０に形成された曲面を第２の枠体１２に形成された曲面に連続させる構成を有していれば、例えばピンとそのピンに係合可能なピン穴を用いて規制するようにしてもよい。また規制部は、極力、第２の枠体１２と蓋体３０との分割線近傍に設けることが望ましい。
また本実施の形態では、アナログ時計の場合について説明したが、アナログ時計に変えてデジタル時計も使用可能であることはいうまでもない。
【００３３】
以上説明したように、本実施の形態の目覚まし時計１によれば、第２の枠体１２に溝部１２ｈを形成させ、蓋体３０に突起部３０ｈを形成させたので、第２の枠体１２に蓋体３０が係止されているときに、第２の枠体１２に形成された曲面１２ｂと蓋体３０に形成された曲面３０ｂとが連続した曲面を形成し、同様に曲面１２ｄと曲面３０ｄとが連続した曲面を形成するようになる。これにより、第２の枠体１２に形成された曲面と蓋体３０に形成された曲面同士が第２の枠体１２と蓋体３０との分割線近傍で合致しなかったり、突出した部分が発生したりすることがないから、コンパクトで一体感のあるデザインをした目覚まし時計１が提供できる。
【００３４】
また本実施の形態の目覚まし時計１によれば、第２の枠体１２の溝部１２ｇの側面に案内部１２ｉを設けたので、第２の枠体１２に蓋体３０を装着するときに、蓋体３０の位置決めがし易くなり、溝部１２ｈと突起部３０ｈとが正確に係合するようになる。これにより、第２の枠体１２と蓋体３０との曲面の連続性が正しく表現できる。
【００３５】
【発明の効果】
本発明によれば、筐体と蓋体とにそれぞれ形成された面を連続的な面になるように規制する規制部を設けたので、時計装置表面に連続的な面が表現され、コンパクトで一体感のある時計装置を提供できる。
【図面の簡単な説明】
【図１】本発明に係る目覚まし時計の正面図である。
【図２】図１に示す目覚まし時計の背面図である。
【図３】図１に示す目覚まし時計の側面図である。
【図４】（ａ）は、図１に示す目覚まし時計の第２の枠体の背面図、（ｂ）は、図４（ａ）のＡ−Ａに沿う断面図である。
【図５】第２の枠体および蓋体の断面図を用いてそれぞれの係止関係を説明するための図である。
【図６】図１に示す目覚まし時計の第２の枠体に形成されたガイド体を説明するための要部斜視図である。
【図７】図１に示す目覚まし時計の蓋体の正面図、図７（ｂ）は、図７（ａ）の蓋体の下面図である。
【図８】第２の枠体に形成された突起部と蓋体に形成された溝部との係合関係を説明するための要部斜視図である。
【符号の説明】
１…目覚まし時計
１０…筐体
１１…第１の枠体
１１ａ…透明アクリル板
１２…第２の枠体
１２ａ…キャラクタライン
１２ｂ，１２ｄ…曲面
１２ｃ…平面
１２ｈ…溝部
１２ｉ…案内部
２０…時計部
２１…文字盤
２４…目安針
２５…目安針修正つまみ
３０…蓋体
３０ａ…キャラクタライン
３０ｂ，３０ｄ…曲面
３０ｈ…突起部
３０ｉ…音穴
５０…スヌーズスイッチ
６０…鳴り止めボタン
【図１】
0003566061.tif 000002
【図２】
0003566061.tif 000003
【図３】
0003566061.tif 000004
【図４】
0003566061.tif 000005
【図５】
0003566061.tif 000006
【図６】
0003566061.tif 000007
【図７】
0003566061.tif 000008
【図８】
0003566061.tif 000009